(57)【特許請求の範囲】
【請求項１】
被洗浄物を、洗浄ノズルから噴射した洗浄流体により洗浄するための洗浄装置であって、
被洗浄物を保持し、回転駆動装置により水平面内で回転可能な基台と、
前記基台と前記被洗浄物とを上方から囲む大きさを有し、昇降駆動装置により昇降可能な筒体または筒状容器と、
前記筒体または筒状容器の側面に、その内部に向けて固定された洗浄ノズルとを備え、
前記基台の周縁部と前記筒体または筒状容器の側面内壁との間に隙間を有し、前記筒体または筒状容器が所定の振幅で昇降運動可能であるとともに、前記基台の回転速度と前記筒体または筒状容器の昇降速度のうち少なくともいずれか一方が調整可能であり、
前記基台が回転し、前記筒体または筒状容器が上下に所定の振幅で振動して、被洗浄物を洗浄する、洗浄装置。
【請求項２】
請求項１において、前記洗浄ノズルが少なくとも２個であり、高さ方向に等間隔に配置されている洗浄装置。
【請求項３】
請求項１または２において、前記洗浄ノズルが少なくとも２個であり、前記洗浄ノズルが円周方向に等間隔に配置されている洗浄装置。
【請求項４】
請求項１〜３のいずれか１項において、前記筒体または筒状容器の上部に、その内部に向けて液体の供給が可能な給水口が設けられている洗浄装置。
【請求項５】
請求項１〜４のいずれか１項において、前記基台の周縁部に、前記筒体または筒状容器の側面内壁との間の隙間を小さくするための弾性部材が設けられている洗浄装置。
【請求項６】
請求項１〜５のいずれか１項において、前記筒体または筒状容器の側面上部に、上部排水口が設けられている洗浄装置。
【請求項７】
請求項１〜６のいずれか１項において、前記基台に排水孔が設けられている洗浄装置。
【請求項８】
請求項１〜７のいずれか１項において、前記洗浄ノズルが、２流体ノズルである洗浄装置。
【発明の詳細な説明】
【技術分野】
【０００１】
本発明は、被洗浄物、たとえば機械加工部品や機械加工製品（金属製、樹脂製など）、の表面に付着する金属屑片や樹脂屑片、ガラス粉、有機性油脂分などの残留付着物（以下、残留異物ともいう）を、洗浄ノズルから流体を噴射して洗い流すための洗浄装置に関し、特に、複雑な内部構造を有する被洗浄物の洗浄に適した洗浄装置に関する。
【背景技術】
【０００２】
従来、たとえば穴が回路状に形成されているような、複雑な内部構造を有する被洗浄物を洗浄する場合、その内部の残留異物を確実に除去するために、穴の入口に向けて洗浄ノズルの位置や角度等を調整して、洗浄液を被洗浄物の奥まで送り込めるようにして洗浄を行っていた。そのような、洗浄ノズルを自由に移動できる洗浄装置として特許文献１に開示のものがある。
【０００３】
一方、特許文献２のように、被洗浄物を載せる基台の上に筒体を被せ、多数の洗浄ノズルが配置された洗浄ノズル部材を筒体の内部で回転させながら洗浄液を噴射する洗浄装置もある。
【先行技術文献】
【特許文献】
【０００４】
【特許文献１】特開２００９−２７５２６５号公報
【特許文献２】特開２００６−１２２８１１号公報
【発明の概要】
【発明が解決しようとする課題】
【０００５】
構造が複雑な被洗浄物の場合、従来の洗浄装置においては、洗浄ノズルが２０〜３０本必要になることがある。また、特許文献１の洗浄装置のように、自由にノズルの位置を変えて洗浄する場合、被洗浄物の形状（穴の位置）に応じて、２０〜３０本もの洗浄ノズルの1本1本について位置と角度を調整しなければならない。被洗浄物の構造が異なれば、それぞれの被洗浄物ごとに、この作業を行うことになる。したがって、洗浄ノズルの位置や角度の調整は、作業者の熟練が必要であるばかりでなく、非効率的で、しかも一定の洗浄効果があげられないという課題があった。
【０００６】
また、特許文献２の洗浄装置では、筒体内部で回転する洗浄ノズル部材に配置された多数の洗浄ノズルは、位置や角度の調整が不要であるが、１つの洗浄ノズルから噴射される洗浄液は、何回転しても被洗浄物上の同一線上にしか当たらない。したがって、被洗浄物の構造によっては、必要な箇所に洗浄液が十分に噴射されない可能性がある。一方で、それを避けるために洗浄ノズルの本数を増やせば、洗浄液の圧力が低下するか、圧力を維持するために大型ポンプが導入されることになり、設備コストや運転コストの高騰を招きかねない。
【０００７】
本発明は上述の点に鑑みてなされたもので、位置や角度調整の不要な、わずかな本数の洗浄ノズルで、さまざまな内部構造の被洗浄物を効果的に洗浄できる洗浄装置を提供することを目的とする。
【課題を解決するための手段】
【０００８】
上記の課題を解決するために本発明に係る洗浄装置は、被洗浄物を、洗浄ノズルから噴射した洗浄流体により洗浄するための洗浄装置であって、
被洗浄物を保持し、回転駆動装置により水平面内で回転可能な基台と、前記基台と前記被洗浄物とを上方から囲む大きさを有し、昇降駆動装置により昇降可能な筒体または筒状容器と、前記筒体または筒状容器の側面に、その内部に向けて固定された洗浄ノズルとを備え、前記基台の周縁部と前記筒体または筒状容器の側面内壁との間に隙間を有し、前記筒体または筒状容器が所定の振幅で昇降運動可能であるとともに、前記基台の回転速度と前記筒体または筒状容器の昇降速度のうち少なくともいずれか一方が調整可能であり、前記基台が回転し、前記筒体または筒状容器が上下に所定の振幅で振動して、被洗浄物を洗浄することを特徴とする。
【０００９】
ここで、「筒体または筒状容器」とは、「筒状容器」が筒の両端部のうち基台部側（下方）が開口し、上方が開口していないものをいい、「筒体」が筒の両端部がともに開口しているものをいう。
【００１０】
この構成によれば、基台の回転と、洗浄ノズルが固定された筒体または筒状容器の昇降運動とを同時に行うことができる。その結果、被洗浄物が洗浄ノズルから受ける洗浄流体（水などの洗浄液体やエア、もしくはこれらの混合流体など）の噴射は、上下に所定の振幅Wで振動する波状のノズル噴射パターンを描くことになる（例えば、図４及び図５参照）。
【００１１】
したがって、わずかな数の洗浄ノズルであっても、被洗浄物の全体を洗浄することが可能となる。基台が回転して２周目に入ったときに、ノズル噴射パターンが１周目のものと重ならないように基台の回転速度と筒状容器の昇降速度のうち少なくともいずれかの設定を調整すれば、基台が回転を繰り返すうちに洗浄流体の当たる位置が少しずつずれていくので、１周目に洗浄流体が当たらなかった部分があったとしても、最終的には被洗浄物の全表面に洗浄流体の噴射が当たることになる。そのため、本発明の洗浄装置は、被洗浄物ごとに構造が異なっていても、洗浄ノズルの位置や角度の厳密な調整が不要で、少ない洗浄ノズルで効率的な洗浄が行える。また、速度（基台の回転速度、筒状容器の昇降速度）という数値でノズル噴射パターンを確定できるため、洗浄ノズルからの洗浄流体の当たり方に関して再現性があり、作業者が熟練したスキルを身につけていなくても安定して高精度の洗浄効果を得ることができる。
【００１２】
さらに、本発明の洗浄装置は、筒体または筒状容器が基台を被いながら昇降運動するように構成されているので、洗浄ノズルから噴射される洗浄液体の量に対して、筒体または筒状容器と基台との隙間が流出する洗浄液体の量よりも大きくなる設定とすれば、表面がなめらかな被洗浄物の洗浄に適した気中洗浄となり、
反対に、洗浄ノズルから噴射される洗浄液体の量に対して、筒体または筒状容器と基台との隙間が流出する洗浄液体の量より小さくなる設定とすれば、次第に洗浄液体が筒体または筒状容器内に溜まり、複雑な内部構造を有する被洗浄物の洗浄に適した液中（浸漬）洗浄が行える。
【００１３】
以上述べたように、この洗浄装置は、多様な被洗浄物に対して、高いレベルで一定の効果を示す洗浄を効率的に行える利点がある。
【００１４】
請求項２に係る洗浄装置においては、前記洗浄ノズルが少なくとも２個であり、高さ方向に等間隔に配置されている。
【００１５】
この構成によれば、被洗浄物を、それぞれの洗浄ノズルがその高さに応じて分担するように洗浄することになるため、洗浄ノズルの本数が１個の場合に比べて、筒体または筒状容器の上下往復運動の振幅を小さくすることができ、洗浄時間が短縮される。
【００１６】
一例として、図５（ａ）の洗浄装置のように２個の洗浄ノズルを、８０ｍｍずつ高さを変えて配置し、高さ１５０ｍｍ、直径２００ｍｍの円柱状の被洗浄物に向けて、上下の振幅Wを８５ｍｍとして筒状容器を昇降運動させながら洗浄流体を噴射した場合、被洗浄物に当たる洗浄流体の位置は、例えば、図５（ｂ）の展開図において２本の線が描くノズル噴射パターンになる。この時、洗浄ノズル１５１は、９０°における高さ０ｍｍの１箇所、２７０°における高さ８０ｍｍに１箇所にそれぞれ設けている（図中の破線の丸印）。また、ノズル噴射パターンの実線部分は、各洗浄ノズルからの流体が１周目に当たる位置を示し、破線部分は、２周目に当たる位置を示している。なお、図５（ｂ）においては、基台の回転速度を７．５ｒｐｍ、筒状容器の昇降速度を１４５．９ｍｍ／ｓｅｃ、上下の振幅Wを８５ｍｍとして筒状容器を昇降運動させながら洗浄流体を噴射した場合のノズル噴射パターンである。
【００１７】
さらに一例として、図１に示すように、３個の洗浄ノズルを５０ｍｍずつ高さを変えて配置し、上下の振幅Wを６８ｍｍとして筒状容器を昇降運動させながら洗浄流体を噴射した場合の被洗浄物に当たる洗浄流体の位置を図４（ａ）〜（ｃ）に示す。これら各展開図における３本の線が、ノズル噴射パターンである。
【００１８】
なお、この時の基台の回転速度と筒状容器の昇降速度との値は、（基台の回転速度、筒状容器の昇降速度）＝（（ａ）：４．５ｒｐｍ，１４５．９ｍｍ／ｓｅｃ）、（（ｂ）７．５ｒｐｍ，１４５．９ｍｍ／ｓｅｃ）、（（ｃ）：４．５ｒｐｍ，３８．９ｍｍ／ｓｅｃ）と設定している。洗浄ノズルは、９０°における高さ０ｍｍと１００ｍｍの２箇所、２７０°における高さ５０ｍｍに１箇所、それぞれ設けている（図中の破線の丸印）。また、ノズル噴射パターンの実線部分は、各洗浄ノズルからの流体が１周目に当たる位置を示し、破線部分は２周目に当たる位置を示している。
【００１９】
このように、洗浄ノズルの本数を４個、５個、６個、7個、８個というように増加していけば、被洗浄物を洗浄する洗浄ノズルの分担量が少なくなり、筒体または筒状容器の上下往復運動の振幅を小さくでき、洗浄時間を短縮できる。
【００２０】
ただし、洗浄ノズル本数を増加すればするほど、洗浄レベルを高めることは可能であるが、洗浄装置重量やコストが大きくなる。したがって、一定の洗浄レベルを維持したまま洗浄装置重量及びコストを抑えるために、洗浄ノズル本数は２本〜２４本程度が好ましく、より好適には２本〜１２本である。
【００２１】
請求項３に係る洗浄装置においては、前記洗浄ノズルが少なくとも２個であり、前記洗浄ノズルが円周方向に等間隔に配置されている。
【００２２】
ここで、「円周方向に等間隔」とは、例えば２個の洗浄ノズルを１８０度対向する位置に配置したり、４個の洗浄ノズルを９０度毎に配置したり、６個の洗浄ノズルを６０度毎に配置することをいう。また、４個の洗浄ノズルを１８０度毎に２個ずつ設置するなど、円周方向に等間隔に複数個ずつの洗浄ノズルを配置してもよい。
【００２３】
この構成によれば、被洗浄物に対し効率的に洗浄液を噴射することができるし、洗浄ノズルの細かな設定が可能となり、さまざまな被洗浄物に対応可能となる。
【００２４】
請求項４に係る洗浄装置においては、前記筒体または筒状容器の上部に、その内部に向けて液体の供給が可能な給水口が設けられている。
【００２５】
ここで、「液体」には、前記洗浄液体を用いてもよいし、別途浸漬用液体（たとえば水等）を用いてもよい。
【００２６】
この構成によれば、洗浄ノズルから噴射される洗浄液体のほかに、給水口からも液体（洗浄液体若しくは浸漬用液体）を筒体または筒状容器内に供給できるため、液中洗浄を行う場合に、被洗浄物を速やかに液体中に浸漬させることができ、効率的な液中洗浄が行える。したがって、給水口からの液体給水の有無を操作者が適宜設定することで、液中洗浄と気中洗浄とを、簡単に切り替えることができる。
【００２７】
請求項５に係る洗浄装置においては、前記基台の周縁部に、前記筒体または筒状容器の側面内壁との間の隙間を小さくするための弾性部材が設けられている。
【００２８】
この構成によれば、基台と筒体または筒状容器との隙間が広くても、ゴムシール等の弾性部材により隙間を小さくすることができ、隙間からの洗浄液体の流出を少なくできる。したがって、被洗浄物をより速やかに液体中に浸漬させることができ、液中洗浄が効率的に行える。
【００２９】
なお、基台外縁部の弾性部材と筒体または筒状容器内壁とを当接させる構成としてもよく、その場合、ゴムシールの外縁に一定の間隔で切り込みを入れることで、ゴムシール外縁と筒体または筒状容器の内壁との摩擦によるゴムシールの破損を緩和することができる。
【００３０】
請求項６に係る洗浄装置においては、前記筒体または筒状容器の側面上部に、上部排水口が設けられている。
【００３１】
この構成によれば、液中洗浄を行う場合、液中の表面に浮いた軽い残留異物を、上部排水口からオーバーフローする洗浄液体とともに除去することができる。逆に、底に沈むような重い残留異物は、基台と筒体の隙間から洗浄液体と共に流出させることができる。その結果、容器内の洗浄液の置換率が向上され、被洗浄物への残留異物の再付着を防止でき、効果的な洗浄を行える。
【００３２】
請求項７に係る洗浄装置においては、前記基台に排水孔が設けられている。
【００３３】
この構成によれば、底に沈むような重い残留異物が、基台と筒体の隙間に加えて、排水孔からも洗浄液体と共に流出させることができ、容器内の洗浄液の置換率がより向上され、被洗浄物への残留異物の再付着をさらに効率よく防止できる。
【００３４】
請求項８に係る洗浄装置においては、前記洗浄ノズルが、２流体ノズルである。
【００３５】
この構成によれば、洗浄ノズルから、同心円状に異なる流体を噴射可能であり、洗浄ノズルの中心部から洗浄液体を、その周囲からエアを噴射することができる。その結果、とくに液中洗浄において、洗浄液体のみを洗浄ノズルから噴射する場合と比較して、より確実に被洗浄物の内部まで、たとえば穴の奥まで、流体が届くため、洗浄効果が高まる。
【００３６】
なお、前記２流体ノズルから噴射される洗浄流体は、直進性を持って噴射された洗浄液体と気体とで構成される多相流体であることが好ましく、多相流体を構成する洗浄液体と気体とを直進性を持って噴射するようにしていると、これら洗浄液体と気体とが噴射直後に混じり合うことにより、多相流体の速度低下が著しく低下する不具合は生じず、多相流体を被洗浄物に効率的に送給することができる。これにより、とりわけ液中洗浄において、被洗浄物に対する洗浄流体の噴射打力の向上を図ることができるので、洗浄効率および洗浄能力を向上できる。
【発明の効果】
【００３７】
以上のように、本発明に係る洗浄装置によれば、回路状の穴などの複雑な内部構造を有する被洗浄物であっても、洗浄ノズルの位置や角度の厳密な調整なしに効率的・効果的に洗浄できる。また、洗浄ノズルの本数が少なくてすむのでコンパクトに構成できるうえ、１台の洗浄装置で気中洗浄と液中洗浄とを適宜行えるので、設備コストおよび運転コストの削減につながる。
【図面の簡単な説明】
【００３８】
【図１】本発明の一実施形態に係る洗浄装置を示す模式図である（洗浄ノズル３本）。
【図２】図１の洗浄装置の、カップの側面図である。
【図３】図１の洗浄装置のカップが洗浄中に昇降運動する状態を説明する模式図で、（ａ）は、カップが最下限位置にある状態、（ｂ）は、カップが最上限位置にある状態を示す。
【図４】図１の洗浄装置の洗浄ノズルから噴射された洗浄流体が、被洗浄物に当たる位置を示す展開図で、基台の回転速度と筒状容器の昇降速度について、（ａ）は４．５ｒｐｍ、１４５．９ｍｍ／ｓｅｃであり、（ｂ）は７．５ｒｐｍ、１４５．９ｍｍ／ｓｅｃであり、（ｃ）は４．５ｒｐｍ、３８．９ｍｍ／ｓｅｃである。
【図５】（ａ）は、本発明の一実施形態に係る洗浄装置の模式図である（洗浄ノズル２本）。（ｂ）は、（ａ）の洗浄装置の洗浄ノズルから噴射された洗浄流体が、被洗浄物に当たる位置を示す展開図である。
【発明を実施するための形態】
【００３９】
以下、本発明に係る実施形態を図面に基づき説明するが、本発明はこの実施形態に限定されるものではない。
【００４０】
洗浄装置１は、図１および図２に示すように、本体２内部に、被洗浄物１０を載せるための円板状の基台３と、基台３と被洗浄物１０とを囲む大きさを有し、本体２内部で昇降可能な円筒形のカップ４と、カップ４の側面に固定された３個の洗浄ノズル５（５１・５２・５３）とを備えている。図示しないが、洗浄ポンプを本体２の外側に設け、カップ４への洗浄液体の給水を行っている。また、カップ４からの排水は、フィルター（図示せず）で濾過して残留異物を除去したのち洗浄ポンプに戻し、循環させている。さらに、本体２の外側に、後述するエアシリンダ６の駆動手段としてのエア供給ポンプ（図示せず）を設け、洗浄ノズル５へのエア供給も行っている。
【００４１】
基台３は、直径３９０ｍｍの円板で、モータ（図示せず）により回転駆動されるターンテーブル３１に、支持部材３２を介して固定されている。したがって、基台３は、ターンテーブル３１とともに回転可能で、モータの制御により回転速度が調整できる。被洗浄物１０は、基台３の上に固定した治具又は金属製バスケット３３により、保持される。また、ターンテーブル３１は、被洗浄物１０を載せた基台３とともに、本体２の前面扉（図示せず）から引き出せる構成にしている。
【００４２】
カップ４は、基台３よりやや大きい４００ｍｍの内径と、３６０ｍｍの高さを有する筒状容器で、基台３と被洗浄物１０に上から被さるよう、開口部を下に向けて配置している。基台３の周縁部とカップ４の内周面との隙間を塞ぐための円盤状のゴムシール３４を、基台３に設けている。なお、ゴムシール３４の外縁には略４５°ごとに径に沿って切り込みをつけている。
【００４３】
３個の洗浄ノズル５（５１・５２・５３）を、高さ方向に等しい間隔Dをあけて配置し、カップ４の側面に貫通して固定している。そのうち２個の洗浄ノズル５１・５３は、カップ４の円周方向の同じ位置に１００ｍｍの間隔をあけて固定し、残りの１個の洗浄ノズル５２は、それらと円周方向に対向する位置（１８０度間隔をあけた位置）であって、その中間の高さに固定している（図２、図３参照）。なお、洗浄ノズル５の配置はこれ以外の配置とすることも可能であり、例えば３個の洗浄ノズル５を１２０度ずつ円周方向に間隔をあけて設置してもよいし、洗浄ノズル５を４個とし９０度ずつ円周方向に間隔をあけて設置してもよい。
【００４４】
洗浄ノズル５は、いずれも２流体ノズルである。これは公知のものでよく、たとえば図２に示すように、中心に洗浄液用の噴射口５ａを備え、その周囲にエアを噴射する噴射口５ｂを備えている。なお、液中洗浄を行わない場合には、一般的な１流体ノズルを用いても良い。
【００４５】
本体２の上面部２１中央には、エアシリンダ６を垂直に設けている。エアシリンダ６は、図示しないエア供給ポンプから送られる空気圧により昇降可能なロッド６２を内蔵している。ロッド６２は、本体２の上面部２１を貫通して下方に延び、その先端はカップ４の上面部４１中央に固定されている。したがって、カップ４は、本体２内でロッド６２から吊下げられた状態となり、空気圧によりロッド６２とともに昇降運動が可能である。カップ４に固定された３個の洗浄ノズル５も、同様の昇降運動を行うことになる。
【００４６】
エアシリンダ６は、最大３００ｍｍのストロークがあり、カップ４は、その下端部が基台３下部より６０ｍｍ下がる位置まで降りる。最上部までカップ４を引き上げれば、被洗浄物１０を基台３に載せたまま、ターンテーブル３１を本体２から引き出したり、本体２に収納したりできるよう、本体２の高さを設定している。なお、エアシリンダ６は、電動シリンダやロボットシリンダ等を用いてもよい。
【００４７】
カップ４の上面部４１には、洗浄液を注入して被洗浄物１０を浸漬するための大流量の給水口４２を設けている。また、カップ４の側面の上部に上部排水口４３を設け、重量の軽い残留異物を含む洗浄液体を、カップ４からオーバーフローさせる。さらに、ターンテーブル３１の下方に、防水パン２２と下部排水口２３とを設け、上部排水口４３からオーバーフローした洗浄液体と、カップ４と基台３との隙間から排出される重い残留異物を含む洗浄液体とを、下部排水口２３から排出する。
【００４８】
洗浄ノズル５と給水口４２への洗浄液体の供給は、上述したように、本体２の外部に接続した洗浄液ポンプにより行う。また、下部排水口２３から排出された、残留異物を含む洗浄液体は、フィルターで残留異物を除去したのち、洗浄液ポンプに送り、循環させる。なお、給水口からの給水を洗浄液体に代えて、別途浸漬用の水を供給する場合には、洗浄液ポンプに加えて浸漬用水のための専用ポンプを別途配置するとよい。
【００４９】
上記のように構成された洗浄装置１で、直径２００ｍｍ、高さ１５０ｍｍの円柱状の被洗浄物１０を洗浄したときの、カップ４と被洗浄物１０の位置関係を、図３（ａ）・（ｂ）に示す。ここで、カップ４の昇降運動の振幅Wは、６８ｍｍに設定している。このとき、各洗浄ノズル５１・５２・５３からの流体（洗浄液とエア）が、被洗浄物１０の表面に当たる位置は、基台３の回転速度と、カップ４の昇降速度とで決定される。なお、図４（ａ）〜（ｃ）は、下表の回転速度と昇降速度との組み合わせにおける、それぞれのノズル噴射パターンである。
【００５０】
基台の回転速度                     筒状容器の昇降速度
（ａ） ４．５ｒｐｍ                １４５．９ｍｍ／ｓｅｃ
（ｂ） ７．５ｒｐｍ                １４５．９ｍｍ／ｓｅｃ
（ｃ） ４．５ｒｐｍ                ３８．９ｍｍ／ｓｅｃ
【００５１】
図４の横軸は、被洗浄物１０の表面の、円周方向に展開した位置（角度）を表し、縦軸は、高さ方向の位置を表す。図中の破線の丸印は、カップ４の側面に固定した各洗浄ノズル５１・５２・５３の位置とノズルの噴射径を、被洗浄物１０の表面に投影したものである。２つの洗浄ノズル５１・５３は、円周方向の同じ位置（９０°）にあり、被洗浄物１０に対する高さはそれぞれ、１００ｍｍ、０ｍｍである。もう一つの洗浄ノズル５２は、それらと対向する位置（２７０°）にあり、同様の高さは５０ｍｍである。なお、図４中の上・中・下３本の折れ線は、それぞれ洗浄ノズル５１，５２，５３に対応し、実線が１周目、長破線が２周目を表す。
【００５２】
図４の各図における上・中・下３本の折れ線は、互いに重なり合っているうえ、２周目にはいると前周の位置よりずれているのがわかる。このように基台３の回転速度とカップ４の昇降速度とを調整したうえで、回転を繰り返すことにより、被洗浄物１０の表面全体を洗浄できる。
【実施例】
【００５３】
上記の洗浄装置１を用いて、被洗浄物１０としての残留異物が付着したウォーターポンプの洗浄を行い、洗浄の精度をテストした。以下、その洗浄条件と結果とを説明する。
【００５４】
＜条件＞
被洗浄物：ウォーターポンプ
洗浄圧力：１．６ＭＰａ（液圧）、０．３ＭＰａ（エア圧）
カップ昇降速度：１１９．１ｍｍ／ｓｅｃ
テーブル回転数：４．５ＲＰＭ
液温度：５９℃
洗浄時間：７５秒
【００５５】
＜結果＞
上記の条件での洗浄後、残留異物の重量計測を行った結果、０．６ｍｇであった。これは、５ｍｇ以下という規格を十分満たすものである。
【００５６】
以上のとおり、図面を参照しながら本発明の好適な実施形態を説明したが、本発明の趣旨を逸脱しない範囲内で、種々の追加、変更または削除が可能である。とくに、カップ４の代わりに上面部のない筒体を用いることも可能である。また洗浄ノズルの数も、被洗浄物の大きさに応じて１個や２個、もしくは４個以上設けることも可能である。したがって、そのようなものも本発明の範囲内に含まれる。
【符号の説明】
【００５７】
１  洗浄装置
２  本体
２１  上面部
２２  防水パン
２３  下部排水口
３  基台
３１  ターンテーブル
３２  支持部材
３３  金属製バスケット
３４  ゴムシール（シール部材）
４  カップ
４１  上面部
４２  給水口
４３  上部排水口
５（５１，５２，５３）  洗浄ノズル
５ａ  噴射口（洗浄液）
５ｂ  噴射口（エア）
６  エアシリンダ
６２  ロッド
１０  被洗浄物
【図１】
0005744428.tif 000002
【図２】
0005744428.tif 000003
【図３】
0005744428.tif 000004
【図４】
0005744428.tif 000005
【図５】
0005744428.tif 000006